(57)【要約】  センサ部１１１と接続され、被検者の計測部位の荷重分布データを算出する情報処理装置１２０であって、被検者の計測部位の端部に対応する位置の圧力データを含む荷重分布データを複数取得し、該取得した前記複数の荷重分布データを重ね合わせることで、前記端部に対応する位置の圧力データが複数含まれる荷重分布データを生成し、該生成した荷重分布データに含まれる前記複数の端部に対応する位置の圧力データを用いて、前記被検者の計測部位全体の形状を示す外形線を算出する計測部位外形線算出部２１１を備える。
2014045514.tif 000002
【特許請求の範囲】
【請求項１】
複数の圧力センサが配列されたセンサ部と接続され、被検者の計測部位の荷重分布データを算出する情報処理装置であって、
前記センサ部に載置された被検者の計測部位の端部に対応する位置の圧力データを含む荷重分布データを、複数取得する取得手段と、
前記取得手段により取得された前記複数の荷重分布データを重ね合わせることで、前記端部に対応する位置の圧力データが複数含まれる荷重分布データを生成する生成手段と、
前記生成手段により生成された荷重分布データに含まれる前記複数の端部に対応する位置の圧力データを用いて、前記被検者の計測部位全体の形状を示す外形線を算出する算出手段と、
前記算出手段により算出された外形線を、前記被検者の計測部位の荷重分布データとともに表示する表示手段と
を備えることを特徴とする情報処理装置。
【請求項２】
前記算出手段は、前記複数の端部に対応する位置の圧力データを用いて、前記被検者の計測部位の中心点を決定し、当該決定した中心点を中心とする所定形状の外形線を算出することを特徴とする請求項１に記載の情報処理装置。
【請求項３】
前記算出手段は、前記複数の端部に対応する位置の圧力データに基づいて、近似曲線を算出することにより、前記外形線を算出することを特徴とする請求項１に記載の情報処理装置。
【請求項４】
前記取得手段は、前記センサ部に載置された被検者が前後及び／または左右に体重移動させた際の荷重分布データを複数取得することを特徴とする請求項１乃至３のいずれか１項に記載の情報処理装置。
【請求項５】
前記取得手段は、前記センサ部に載置された被検者の計測部位の端部に対応する位置の圧力センサを、ユーザが押圧した際の荷重分布データを複数取得することを特徴とする請求項１乃至３のいずれか１項に記載の情報処理装置。
【請求項６】
前記取得手段により取得される荷重分布データは、前記被検者の座位状態における座圧分布データであることを特徴とする請求項１乃至５のいずれか１項に記載の情報処理装置。
【請求項７】
請求項１乃至６のいずれか１項に記載の情報処理装置と、
複数の圧力センサが二次元に配列されセンサ部と
を含むことを特徴とする荷重分布計測システム。
【請求項８】
請求項１乃至６のいずれか１項に記載の情報処理装置の各手段を、コンピュータに実行させるためのプログラム。
【発明の詳細な説明】
【技術分野】
【０００１】
本発明は、被検者の座圧分布等の荷重分布を計測する荷重分布計測システム及び該システムを構成する情報処理装置に関するものである。
【背景技術】
【０００２】
脳卒中などの脳神経系疾患を発症した患者に対するリハビリの１つとして、座位訓練が挙げられる。座位訓練とは、体が傾き、座位状態を保持することが困難な患者に対して、ベットや椅子等の上で、座位状態のまま体幹を鍛える訓練であり、座位バランスの改善を目的としたものである。このような訓練では、患者の体の傾きを定量的に評価することが重要であり、例えば、座圧分布等の計測が有効である。【０００３】
一方で、被検者の座圧分布等の荷重分布を可視化するシステムとして、従来より、荷重分布計測システムが知られている。当該システムによれば、座位状態の被検者の座圧分布を可視化することができる（例えば、下記特許文献１参照）。
【先行技術文献】
【特許文献】
【０００４】
【特許文献１】特開２０１０−０９１５３８号公報
【発明の概要】
【発明が解決しようとする課題】
【０００５】
しかしながら、上記特許文献１に記載のシステムの場合、座位バランスのとれた健常者の座圧分布を計測することを前提としている。このため、計測される座圧分布が左右前後に極端に偏ることもない。【０００６】
これに対して、座位訓練を行う患者の場合、座位バランスが悪く、臀部の一部のみが接触した状態となるため、一方向に偏った座圧分布が生成されることとなる。このようにして生成された座圧分布では、患者の臀部全体を把握することができず、座圧が集中している領域が、臀部全体に対して相対的にどのような位置にあるのかがわからないという問題がある。【０００７】
このようなことから、座圧訓練等を行う医療現場等に荷重分布計測システムを適用するにあたっては、荷重分布に偏りがある場合であっても、当該患者の計測部位全体に対する相対的な位置関係を把握できる構成とすることが望ましい。【０００８】
本発明は上記課題に鑑みてなされたものであり、荷重分布計測システムにおいて、計測した荷重分布を表示するにあたり、被検者の計測部位全体に対する相対的な位置を把握できるようにすることを目的とする。
【課題を解決するための手段】
【０００９】
上記目的を達成するために、本発明に係る情報処理装置は、以下のような構成を備える。即ち、
複数の圧力センサが配列されたセンサ部と接続され、被検者の計測部位の荷重分布データを算出する情報処理装置であって、
前記センサ部に載置された被検者の計測部位の端部に対応する位置の圧力データを含む荷重分布データを、複数取得する取得手段と、
前記取得手段により取得された前記複数の荷重分布データを重ね合わせることで、前記端部に対応する位置の圧力データが複数含まれる荷重分布データを生成する生成手段と、
前記生成手段により生成された荷重分布データに含まれる前記複数の端部に対応する位置の圧力データを用いて、前記被検者の計測部位全体の形状を示す外形線を算出する算出手段と、
前記算出手段により算出された外形線を、前記被検者の計測部位の荷重分布データとともに表示する表示手段とを備える。
【発明の効果】
【００１０】
本発明によれば、荷重分布計測システムにおいて、計測した荷重分布を表示するにあたり、被検者の計測部位全体に対する相対的な位置を把握することができるようになる。【００１１】
本発明のその他の特徴及び利点は、添付図面を参照とした以下の説明により明らかになるであろう。なお、添付図面においては、同じ若しくは同様の構成には、同じ参照番号を付す。
【図面の簡単な説明】
【００１２】
添付図面は明細書に含まれ、その一部を構成し、本発明の実施の形態を示し、その記述と共に本発明の原理を説明するために用いられる。
【図１】本発明の第１実施形態に係る座圧分布計測システムの外観構成を示す図である。
【図２】座圧分布計測システムを構成する情報処理装置の機能構成を示す図である。
【図３】体の左側が麻痺した被検者の座圧分布データを示す図である。
【図４Ａ】第１実施形態の計測部位外形線算出部における処理の流れを示すフローチャートである。
【図４Ｂ】第１実施形態の座圧分布算出部における処理の流れを示すフローチャートである。
【図５Ａ】被検者の上半身を傾けさせ、体重移動をさせた際に計測された座圧分布データを示す図である。
【図５Ｂ】被検者の上半身を傾けさせ、体重移動をさせた際に計測された座圧分布データを示す図である。
【図５Ｃ】被検者の上半身を傾けさせ、体重移動をさせた際に計測された座圧分布データを示す図である。
【図５Ｄ】被検者の上半身を傾けさせ、体重移動をさせた際に計測された座圧分布データを示す図である。
【図６】複数の座圧分布データを重ね合わせたデータを示す図である。
【図７Ａ】算出された計測部位外形線を示す図である。
【図７Ｂ】座圧分布データと計測部位外形線とを重ねあわせたデータを示す図である。
【図８Ａ】第２実施形態の計測部位外形線算出部における処理の流れを示すフローチャートである。
【図８Ｂ】第２実施形態の座圧分布算出部における処理の流れを示すフローチャートである。
【図９Ａ】押圧点を含む複数の座圧分布データを示す図である。
【図９Ｂ】押圧点を含む複数の座圧分布データを示す図である。
【図９Ｃ】押圧点を含む複数の座圧分布データを示す図である。
【図９Ｄ】押圧点を含む複数の座圧分布データを示す図である。
【図１０】複数の座圧分布データを重ね合わせたデータを示す図である。
【図１１Ａ】算出された計測部位外形線を示す図である。
【図１１Ｂ】座圧分布データと計測部位外形線とを重ねあわせたデータを示す図である。
【発明を実施するための形態】
【００１３】
以下、添付図面を参照して、本発明の好適な実施の形態について説明する。なお、以下の各実施形態では、荷重分布計測システムとして、被検者の座位姿勢における座圧分布を計測する座圧分布計測システムについて説明するが、本発明の荷重分布計測システムは、座圧分布計測システムに限定されず、例えば、立位姿勢における足圧分布を計測する足圧分布計測システムであっても、臥位姿勢における臥圧分布を計測する臥圧分布計測システムであってもよい。
【００１４】
［第１実施形態］
＜１．座圧分布計測システムの外観構成＞
第１実施形態における座圧分布計測システム１００について、図１を参照しながら説明する。図１は、第１実施形態の座圧分布計測システム１００の外観構成の一例を示す図である。座圧分布計測システム１００は、図１に示すように、座圧分布計測センサ１１０と情報処理装置１２０とを備える。
【００１５】
座圧分布計測センサ１１０は、センサ部１１１およびベース部１１２を備え、ベットや椅子の上に敷くことができるよう、数ｍｍ程度の薄いシート形状により形成されている。センサ部１１１は、複数の圧力センサが二次元的に配列されており、ベース部１１２に埋め込まれている。
【００１６】
座圧分布計測センサ１１０では、座位状態の被検者の臀部等が接触する位置に対応する圧力センサが圧力（荷重）を検知し、検知した荷重に対応した電気信号を出力することで、センサ部１１１上に載置された被検者の荷重分布データである座圧分布データを所定の周期で計測することができる。
【００１７】
情報処理装置１２０は、座圧分布計測センサ１１０によって計測された座圧分布データをケーブル１３０を介して取得し、表示する。また、座位状態にある被検者の上半身を前後左右に傾けさせ、体重移動をさせた際に計測された複数の座圧分布データを用いて、計測部位（本実施形態では、臀部）全体の形状を示す外形線（以下では計測部位外形線と称す）を算出し、座圧分布データとともに表示する。
【００１８】
＜２．座圧分布計測システムにおける情報処理装置の機能構成＞
情報処理装置１２０の機能構成について、図２を参照しながら説明する。図２は、座圧分布計測システム１００を構成する情報処理装置１２０の機能構成を示す図である。図２に示すように、情報処理装置１２０は、制御部（コンピュータ）２０１と、メモリ部２０２と、記憶部２０３と、表示部２０４と、入力部２０５と、外部機器Ｉ／Ｆ部２０６とを備え、各部はバス２０７を介して接続されている。
【００１９】
記憶部２０３には、制御部２０１によって実行されることで計測部位外形線算出部（取得手段、生成手段、算出手段）２１１及び座圧分布算出部（表示手段）２１２として機能するプログラムが格納されている。当該プログラムは、制御部２０１による制御のもと、ワークエリアとして機能するメモリ部２０２に適宜読み込まれ、制御部２０１によって実行される。これにより、当該プログラムは、計測部位外形線算出部２１１及び座圧分布算出部２１２として機能する。
【００２０】
表示部２０４は、ブラウン管や液晶などのディスプレイによって構成されており、制御部２０１に当該プログラムを実行させるためのユーザインタフェースを表示したり、取得した座圧分布データを表示したりする。入力部２０５は、キーボードやマウスなどによって構成されており、上記プログラムを実行させるための指示を入力する。外部機器Ｉ／Ｆ部２０６は、センサ部１１１において計測された座圧分布データを情報処理装置１２０内に取り込むためのＩ／Ｆである。
【００２１】
＜３．計測部位外形線算出部の機能＞
次に、計測部位外形線算出部２１１の機能について説明する。上述したように、脳卒中などの脳神経系疾患を発症し、右片または左片が麻痺した患者の場合、体が一方向に傾くため、偏った座位分布データが得られることとなる。
【００２２】
図３は、体の左片が麻痺した患者（被検者）の座圧分布データを示す図である。図３に示すように、体の左片が麻痺した患者の場合、一般に、体が健常側である右側に大きく傾くため、座圧が右側に大きく偏ってしまう。このため、図３のような座圧分布データの場合、臀部が接触している部分における圧力データの値を確認することはできるものの、その部分が臀部全体のどの位置であるのかを認識することは困難である。
【００２３】
例えば、図３に示す座圧分布データでは、一部分に座圧がかかっていることは確認できるものの、その座圧がかかっている部分が、臀部全体の前後左右のどの部分であるのかが不明である。また、どの程度偏っているのか（例えば、臀部の中心位置からのずれ量等）も不明である。
【００２４】
このようなことから、計測部位外形線算出部２１１では、座位状態にある被検者の上半身を傾けさせ、体重移動させた際の座圧分布データを複数取得することにより、被検者の計測部位（ここでは臀部）全体の形状を示す外形線（計測部位外形線）を算出する。そして、座圧分布算出部２１２が表示部２０４上に座圧分布データを表示する際に、当該計測部位外形線を重ねて表示するようにする。
【００２５】
これにより、図３に示すような座圧分布データが得られた場合であっても、計測部位全体に対する相対的な位置を把握することが可能となる。
【００２６】
＜４．計測部位外形線算出部における処理の流れ＞
次に、計測部位外形線算出部２１１における処理の流れについて、図４Ａ、図５Ａ〜図７Ａを用いて詳細に説明する。図４Ａは、計測部位外形線算出部２１１による計測部位外形線算出処理の流れを示すフローチャートである。
【００２７】
ステップＳ４０１では、座位状態にある被検者の上半身を前後左右に傾けさせ、体重移動させた際に計測された複数の座圧分布データを、座圧分布計測センサ１１０から取得する。図５Ａは、被検者の上半身を前方に傾けさせ、体重移動させた際に計測された座圧分布データを示す図である。図５Ａに示すように、被検者が前方に体重移動した状態では、太ももの付け根に近い部分の圧力センサに圧力がかかることとなる。計測部位外形線算出部２１１では、この状態における座圧分布データを記憶部２０３に記憶する。
【００２８】
次に、被検者の上半身を後方に傾けさせ、体重移動させる。図５Ｂは、被検者の上半身を後方に傾けさせ、体重移動させた際に計測された座圧分布データを示す図である。図５Ｂに示すように、被検者が後方に体重移動した状態では、腰に近い部分の圧力センサに圧力がかかることとなる。計測部位外形線算出部２１１では、この状態における座圧分布データを記憶部２０３に記憶する。同様に、被検者の上半身を右方向および左方向に傾けさせ、体重移動させる。図５Ｃ及び図５Ｄは、被検者の上半身を右方向および左方向に傾けさせ、体重移動させた際に計測された座圧分布データを示す図である。計測部位外形線算出部２１１では、この状態における座圧分布データを記憶部２０３に記憶する。
【００２９】
このように、被検者の上半身を前後左右に傾けさせ、体重移動させることにより、計測部位外形線算出部２１１では、複数の座圧分布データを取得することができる。なお、本実施形態では、被検者の上半身を前後左右に傾けさせることにより、４つの座圧分布データを取得する構成としたが、本発明はこれに限定されるものではない。計測部位外形線が算出されるようにするためには、少なくとも２つ以上の座圧分布データを取得すれば足りる。
【００３０】
ステップＳ４０２では、記憶部２０３に記憶された複数の座圧分布データを重ね合わせる。更に、ステップＳ４０３では、重ね合わせた複数の座圧分布データに基づいて、計測部位外形線を算出する。
【００３１】
具体的には、まず、ステップＳ４０２において記憶部２０３に記憶された４つの座圧分布データを重ね合わせる。即ち、図５Ａ〜図５Ｄの座圧分布データを重ね合わせて、図６に示すような座圧分布データを生成する。図６は、被検者が体重移動した状態でそれぞれ計測された４つの座圧分布データを重ね合わせることにより得られた座圧分布データを示す図である。このように、複数の座圧分布データを重ね合わせることにより生成された座圧分布データは、被検者の計測部位（臀部）の端部に対応する位置の圧力データが複数含まれることとなるため、当該端部に沿った近似曲線を算出することにより、被検者の計測部位全体の形状を示す計測部位外形線６０１を算出することができる。
【００３２】
ステップＳ４０４では、ステップＳ４０３において算出した計測部位外形線６０１（図７Ａ参照）を記憶部２０３に記憶する。
【００３３】
なお、図６の例では、計測部位外形線６０１が、４つの座圧分布データを重ね合わせることにより得られた座圧分布データの端部に沿った形状を有する場合について説明したが、本発明はこれに限定されず、計測部位外形線は、当該重ね合わせることにより得られた座圧分布データを取り囲む楕円形状や四角形状等の所定形状であってもよい。なお、このような楕円形状や四角形状の計測部位外形線は、当該重ね合わせることにより得られた座圧分布データの前後方向の端部および左右方向の端部から中心点を決定し、その中心点を中心として算出することができる。
【００３４】
＜５．座圧分布算出部における処理＞
次に座圧分布算出部２１２における処理の流れについて図４Ｂ及び図７Ｂを用いて説明する。図４Ｂは、座圧分布算出部２１２における、座圧分布算出処理の流れを示すフローチャートである。
【００３５】
ステップＳ４１１では、記憶部２０３に記憶された計測部位外形線６０１を読み出し、表示部２０４に表示する。
【００３６】
ステップＳ４１２では、座圧分布データを座圧分布計測センサ１１０から取得する。そして、ステップＳ４１３では、ステップＳ４１２において取得した座圧分布データを、表示部２０４に計測部位外形線６０１とともに連続的に表示する。
【００３７】
図７Ｂは、ステップＳ４１２において取得された座圧分布データを計測部位外形線６０１とともに表示した様子を示している。
【００３８】
図７Ｂに示すように、座圧分布データを計測部位外形線６０１とともに表示することで、被検者の臀部全体のどの部分に座圧がかかっているのかを容易に把握することができる。また、座圧がかかっている部分が、どの程度偏っているのかを容易に把握することができる。
【００３９】
以上の説明から明らかなように、第１実施形態の座圧分布計測システム１００では、計測部位外形線算出部を設け、座位状態における被検者の上半身を傾けさせ、体重移動させた際の座圧分布データを複数取得する構成とした。更に、取得した当該複数の座圧分布データを重ね合わせることにより生成される座圧分布データに基づいて、被検者の計測部位（臀部）全体の形状を示す計測部位外形線を算出する構成とした。
【００４０】
更に、座圧分布データを表示する際に、当該算出した計測部位外形線を合わせて表示する構成とした。
【００４１】
この結果、座圧分布計測システムにおいて、計測した座圧分布データを表示するにあたり、被検者の計測部位全体に対する相対的な位置を把握することが可能となった。
【００４２】
［第２実施形態］
上記第１実施形態では、座位状態にある被検者の上半身を傾けさせ、体重移動させた際に計測された座圧分布データを重ね合わせることにより生成された座圧分布データを用いて、計測部位外形線を算出する構成としたが、本発明はこれに限定されない。
【００４３】
計測部位外形線を算出するためのデータを、ユーザ（例えば、理学療法士等）がセンサ部１１１を押圧することにより入力し、当該入力したデータを用いて、計測部位外形線を算出するように構成してもよい。以下、本実施形態の詳細について説明する。
【００４４】
＜１．計測部位外形線算出部における処理の流れ＞
はじめに、第２実施形態の座圧分布計測システム１００の計測部位外形線算出部２１１における処理の流れについて、図８Ａ〜図１０を用いて説明する。図８Ａは、計測部位外形線算出部２１１における計測部位外形線算出処理の流れを示すフローチャートである。
【００４５】
ステップＳ８０１では、座位状態にある被検者の臀部の外形に対応する位置の圧力センサをユーザが押圧した際の座圧分布データを、座圧分布計測センサ１１０から取得する。具体的には、座圧分布計測センサ１１０上において座位状態にある被検者の臀部の外形に対応する位置の圧力センサを、ユーザがペンや棒などを使用して複数箇所（第２実施形態では４か所）押圧し、そのときの座圧分布データを座圧分布計測センサ１１０から取得する。
【００４６】
図９Ａ〜図９Ｄは、ユーザが押圧した際に取得された座圧分布データを示している（各図の記号ａ〜ｄは、ユーザが押圧した押圧点を表している）。図９Ａ〜図９Ｄに示す各座圧分布データは、順次記憶部２０３に記憶される。なお、第２実施形態では、押圧点を４点としたが、本発明はこれに限定されず、押圧点は２点以上であればよい。
【００４７】
ステップＳ８０２では、押圧点をそれぞれに含む複数の座圧分布データを重ね合わせる。即ち、図９Ａ〜図９Ｄに示す複数の座圧分布データを重ね合わせ、図１０に示す座圧分布データを生成する。図１０は、ステップＳ８０１において座圧分布計測センサ１１０から取得した４つの座圧分布データを重ね合わせることにより生成された座圧分布データである。
【００４８】
ステップＳ８０３では、ステップＳ８０２において生成された座圧分布データ（図１０）を用いて、４つの押圧点ａ〜ｄの中心点を決定する。第２実施形態では、押圧点ａおよび押圧点ｂは被検者の前後方向の端部を示しており、押圧点ｃおよび押圧点ｄは被検者の左右方向の端部を示しているものとする。そのため、第２実施形態では、押圧点ａと押圧点ｂとを結ぶ線と、押圧点ｃと押圧点ｄとを結ぶ線との交点が中心点として決定される。
【００４９】
ステップＳ８０４では、ステップＳ８０３において決定された中心点を中心として、複数の押圧点ａ〜ｄを通る楕円形状の計測部位外形線を算出する。図１１Ａの１１０１は、ステップＳ８０４において算出された計測部位外形線を示している。なお、第２実施形態では、計測部位外形線として楕円形状を用いる場合について説明したが、本発明はこれに限定されるものではない。例えば、中心点を中心として、複数の押圧点を通る四角形状であってもよいし、所定のテンプレート（被検者の臀部の形状を模式的に示したテンプレート）を複数用意しておき、当該複数のテンプレートの中から、テンプレートの中心が中心点と重なり、かつ、複数の押圧点を通るテンプレートを選択するようにしてもよい。また、多数の押圧点が取得された場合にあっては、中心点を決定することなく、当該取得された押圧点を用いて近似曲線を算出することで、直接、計測部位外形線を算出するように構成してもよい。
【００５０】
ステップＳ８０５では、ステップＳ８０４において算出された計測部位外形線１１０１（図１１Ａ）を記憶部２０３に記憶する。
【００５１】
＜２．座圧分布算出部における処理＞
次に座圧分布算出部２１２における処理の流れについて図８Ｂ及び図１１Ｂを用いて説明する。図８Ｂは、座圧分布算出部２１２における、座圧分布算出処理の流れを示すフローチャートである。
【００５２】
ステップＳ８１１では、記憶部２０３に記憶された計測部位外形線１１０１を読み出し、表示部２０４に表示する。
【００５３】
ステップＳ８１２では、座圧分布データを座圧分布計測センサ１１０から取得する。更に、ステップＳ８１３では、ステップＳ８１２において取得した座圧分布データを、表示部２０４に計測部位外形線１１０１とともに連続的に表示する。
【００５４】
図１１Ｂは、ステップＳ８１２において取得された座圧分布データを計測部位外形線１１０１とともに表示した様子を示している。
【００５５】
図１１Ｂに示すように、座圧分布データを計測部位外形線１１０１とともに表示することで、被検者の臀部全体のどの部分に座圧がかかっているのかを容易に把握することができる。また、座圧がかかっている部分が、どの程度偏っているのかを容易に把握することができる。
【００５６】
以上の説明から明らかなように、第２実施形態の座圧分布計測システム１００では、計測部位外形線算出部を設け、座位状態にある被検者の臀部の外形に対応する位置の圧力センサをユーザが順次押圧した際の、押圧点を含む座圧分布データを複数取得する構成とした。更に、取得した当該複数の座圧分布データそれぞれに含まれる押圧点に基づいて、被検者の計測部位（臀部）全体の形状を示す計測部位外形線を算出する構成とした。
【００５７】
更に、座圧分布データを表示する際に、当該算出した計測部位外形線を合わせて表示する構成とした。
【００５８】
この結果、座圧分布計測システムにおいて、計測した座圧分布データを表示するにあたり、被検者の計測部位全体に対する相対的な位置を把握することが可能となった。
【００５９】
［第３実施形態］
第１実施形態および第２実施形態の座圧分布計測システム１００では、情報処理装置１２０が、座圧分布計測センサ１１０によって計測された座圧分布データを、ケーブル１３０を介して直接取得する構成としたが、本発明はこれに限定されない。例えば、情報処理装置１２０が、ブルートゥースなどの無線を介して取得する構成としてもよい。
【００６０】
また、座圧分布計測センサ１１０内にメモリを配し、座圧分布計測センサ１１０において計測された座圧分布データを一旦当該メモリに記憶しておくように構成してもよい。このように座圧分布計測システム１００を構成した場合、座圧分布計測センサ１１０が情報処理装置１２０にケーブル１３０を介して接続できる距離に設置できないとき、即ち、ケーブル１３０の長さが足りないときであっても、所定の場所で座圧分布データを計測することができる。この場合、座圧分布データを計測した後で座圧分布計測センサ１１０を情報処理装置１２０にケーブル１３０を介して接続し、情報処理装置１２０に当該座圧分布データを取得させることができる。
【００６１】
本発明は上記実施の形態に制限されるものではなく、本発明の精神及び範囲から離脱することなく、様々な変更及び変形が可能である。従って、本発明の範囲を公にするために、以下の請求項を添付する。
【００６２】
本願は、２０１２年９月２１日提出の日本国特許出願特願２０１２−２０８８７６を基礎として優先権を主張するものであり、その記載内容の全てを、ここに援用する。
【符号の説明】
【００６３】
１００：荷重分布計測システム、１１０：座圧分布計測センサ、１１１：センサ部、１１２：ベース部、１２０：情報処理装置、１３０：ケーブル、６０１：計測部位外形線、１１０１：計測部位外形線
【図１】
2014045514.tif 000003
【図２】
2014045514.tif 000004
【図３】
2014045514.tif 000005
【図４Ａ】
2014045514.tif 000006
【図４Ｂ】
2014045514.tif 000007
【図５Ａ】
2014045514.tif 000008
【図５Ｂ】
2014045514.tif 000009
【図５Ｃ】
2014045514.tif 000010
【図５Ｄ】
2014045514.tif 000011
【図６】
2014045514.tif 000012
【図７Ａ】
2014045514.tif 000013
【図７Ｂ】
2014045514.tif 000014
【図８Ａ】
2014045514.tif 000015
【図８Ｂ】
2014045514.tif 000016
【図９Ａ】
2014045514.tif 000017
【図９Ｂ】
2014045514.tif 000018
【図９Ｃ】
2014045514.tif 000019
【図９Ｄ】
2014045514.tif 000020
【図１０】
2014045514.tif 000021
【図１１Ａ】
2014045514.tif 000022
【図１１Ｂ】
2014045514.tif 000023
【国際調査報告】
2014045514.tif 000024
2014045514.tif 000025
2014045514.tif 000026
2014045514.tif 000027